【手続補正書】
【提出日】平成27年3月11日(2015.3.11)
【手続補正１】
【補正対象書類名】特許請求の範囲
【補正対象項目名】全文
【補正方法】変更
【補正の内容】
【特許請求の範囲】
【請求項１】
上位層サービス品質（ＱｏＳ）管理サービスを提供するように構成されたノードであって、
ａ）プロセッサと、
ｂ）前記プロセッサによって実行されるとき、
ｉ）上位層メッセージングを介して、送信元ノードと送信先ノードとの間にパラメータ化サービス品質（ＰＱｏＳ）フローを作成するリクエストを受信することと、
ｉｉ）前記ＰＱｏＳフローが上位層ＱｏＳデバイスサービスを有さない第１のノードに関与することを判定することと、
ｉｉｉ）前記ＰＱｏＳフローが上位層ＱｏＳデバイスサービスを有する、前記第１のノードに隣接する第２のノードに関与することを判定することと、
ｉｖ）上位層メッセージングを介して、前記第２のノードが前記送信元ノードと前記送信先ノードとの間に前記ＰＱｏＳフローを作成することをリクエストすることと、
ｖ）上位層メッセージングを介して、前記第１のノードおよび前記第２のノードに関与する前記ＰＱｏＳフローのセグメントが第２層メッセージングを使用して成功裏に作成されたことを確認応答する応答を前記第２のノードから受信することと、
ｖｉ）前記第２のノードからの前記応答の受信に応答して、前記ＰＱｏＳフローのステータスを確認応答することと、を前記ノードに実行させるコンピュータ実行可能命令が記憶される、前記プロセッサに連結されたメモリと、を備える、ノード。
【請求項２】
前記ＰＱｏＳフローの前記ステータスを確認応答することが、前記送信元ノードから前記送信先ノードへの前記ＰＱｏＳフローを作成する前記リクエストが送信された制御ポイントへ、前記送信元から前記送信先ノードへの前記リクエストされたＰＱｏＳフローを作成することが必要である各セグメントの前記ステータスを送信することを含む、請求項１に記載のノード。
【請求項３】
前記第１のノードが送信元ノードであり、前記第２のノードがブリッジノードであり、前記セグメントが前記送信元ノードから前記ブリッジノードへの前記ＰＱｏＳフローの第１のセグメントである、請求項１に記載のノード。
【請求項４】
前記記憶されたコンピュータ実行可能コードが、
ａ）上位層メッセージングを介して、前記送信元ノードが前記送信元ノードと前記送信先ノードとの間に前記ＰＱｏＳフローを作成することをリクエストすることと、
ｂ）上位層メッセージングを介して、ブリッジノードから前記送信先ノードへの前記ＰＱｏＳフローの第２のセグメントが第２層メッセージングを使用して成功裏に作成されたかを確認応答する第２の応答を前記送信先ノードから受信することと、
ｃ）前記応答および前記第２の応答の受信に応答して、前記ＰＱｏＳフローが成功裏に作成されたことを確認応答することと、を前記ノードにさらに実行させる、請求項１に記載のノード。
【請求項５】
前記第１のノードがブリッジノードであり、前記第２のノードが送信元ノードであり、前記セグメントが、前記送信元ノードから前記ブリッジノードへの前記ＰＱｏＳフローの第１のセグメントであり、前記送信元ノードは、前記ＰＱｏＳフローが前記ブリッジノードを通過することを判定し、前記ブリッジノードおよび前記送信先ノードが上位層ＱｏＳデバイスサービスを有さないことを判定し、第２層メッセージングを使用して、前記送信元ノードから前記ブリッジノードへの前記ＰＱｏＳフローの前記第１のセグメントを設定し、第２層メッセージングを介して、前記ブリッジノードが、第２層メッセージングを使用して、前記ブリッジノードから前記送信先ノードへの前記ＰＱｏＳフローの第２のセグメントを設定することをリクエストするように構成される、請求項１に記載のノード。
【請求項６】
前記第１のノードがブリッジノードであり、前記第２のノードが送信先ノードであり、前記セグメントが、前記ブリッジノードから前記送信元ノードへの前記ＰＱｏＳフローの第２のセグメントであり、前記送信先ノードは、前記ＰＱｏＳフローが前記ブリッジノードを通過することを判定し、前記送信元ノードおよび前記ブリッジノードが上位層ＱｏＳデバイスサービスを有さないことを判定し、第２層メッセージングを使用して、前記ブリッジノードから前記送信先ノードへの前記ＰＱｏＳフローの前記第２のセグメントを設定し、第２層メッセージングを介して、前記ブリッジノードが、第２層メッセージングを使用して、前記送信元ノードから前記ブリッジノードへの前記ＰＱｏＳフローの第１のセグメントを設定することをリクエストするように構成される、請求項１に記載のノード。
【請求項７】
前記第１のノードが送信元ノードであり、前記第２のノードがプロキシノードであり、前記セグメントが前記送信元ノードからブリッジノードへの前記ＰＱｏＳフローの第１のセグメントである、請求項１に記載のノード。
【請求項８】
前記記憶されたコンピュータ実行可能コードが、
ａ）上位層メッセージングを介して、前記ブリッジノードから前記送信先ノードへの前記ＰＱｏＳフローの第２のセグメントが第２層メッセージングを使用して成功裏に作成されたかを確認応答する第２の応答を前記送信先ノードから受信することと、
ｂ）前記応答および前記第２の応答の受信に応答して、前記ＰＱｏＳフローが成功裏に作成されたことを確認応答することと、を前記ノードにさらに実行させる、請求項５〜７のいずれか一項に記載のノード。
【請求項９】
ネットワーク通信のための集積回路チップであって、上位層サービス品質（ＱｏＳ）デバイスサービスを有し、
ａ）上位層メッセージングを介して、送信元ノードと送信先ノードとの間にパラメータ化サービス品質（ＰＱｏＳ）フローを作成するリクエストを受信することと、
ｂ）前記ＰＱｏＳフローが上位層ＱｏＳデバイスサービスを有さない第１のノードに関与することを判定することと、
ｃ）前記ＰＱｏＳフローが上位層ＱｏＳデバイスサービスを有する、前記第１のノードに隣接する第２のノードに関与することを判定することと、
ｄ）上位層メッセージングを介して、前記第２のノードが前記送信元ノードと前記送信先ノードとの間に前記ＰＱｏＳフローを作成することをリクエストすることと、
ｅ）上位層メッセージングを介して、前記第１のノードに関与するＰＱｏＳフローのセグメントが第２層メッセージングを使用して成功裏に作成されたかを確認応答する応答を第２のノードから受信することと、
ｆ）前記応答の受信に応答して、前記ＰＱｏＳフローが成功裏に作成されたことを確認応答することと、の動作を実施する、集積回路チップ。
【請求項１０】
前記集積回路チップが、
ａ）上位層メッセージングを介して、前記送信元ノードが前記送信元ノードと前記送信先ノードとの間に前記ＰＱｏＳフローを作成することをリクエストすることと、
ｂ）上位層メッセージングを介して、前記送信元ノードからブリッジノードへの前記ＰＱｏＳフローの第１のセグメントが第２層メッセージングを使用して成功裏に作成されたかを確認応答する第２の応答を前記送信元ノードから受信することと、
ｃ）前記応答および前記第２の応答の受信に応答して、前記ＰＱｏＳフローが成功裏に作成されたことを確認応答することと、の動作を実施するようにさらに構成される、請求項９に記載の集積回路チップ。
【請求項１１】
前記第１のノードが送信元ノードであり、前記第２のノードがブリッジノードであり、前記セグメントが前記送信元ノードから前記ブリッジノードへの前記ＰＱｏＳフローの第１のセグメントである、請求項９に記載の集積回路チップ。
【請求項１２】
前記集積回路チップが、
ａ）上位層メッセージングを介して、前記送信先ノードが前記送信元ノードと前記送信先ノードとの間に前記ＰＱｏＳフローを作成することをリクエストすることと、
ｂ）上位層メッセージングを介して、前記ブリッジノードから前記送信先ノードへの前記ＰＱｏＳフローの第２のセグメントが第２層メッセージングを使用して成功裏に作成されたかを確認応答する第２の応答を前記送信先ノードから受信することと、
ｃ）前記応答および前記第２の応答の受信に応答して、前記ＰＱｏＳフローが成功裏に作成されたことを確認応答することと、の動作を実施するようにさらに構成される、請求項１１に記載の集積回路チップ。
【手続補正２】
【補正対象書類名】明細書
【補正対象項目名】０１１０
【補正方法】変更
【補正の内容】
【０１１０】
いくつかの場合における「１つ以上」、「少なくとも」、「これに限定されないが」または他の同様な語句等の広義の言葉および語句の存在は、そのような広義の語句が存在しなくてもよい場合に、より狭義の事例が目的とされる、または要求されると解釈されてはならない。「モジュール」という用語の使用は、モジュールの一部として記載または請求される構成要素または機能が全て共通のパッケージに構成されることを暗示しない。実際に、モジュールの多様な構成要素のうちのいずれか、または全ては、制御ロジックまたは他の構成要素に関わらず、単一のパッケージに組み合わせる、または個別に維持することができ、複数のグループまたはパッケージあるいは複数の場所にわたってさらに分散することができる。
［発明の例］
［例１］
上位層サービス品質（ＱｏＳ）管理サービスを提供するように構成されたノードであって、
ａ）プロセッサと、
ｂ）前記プロセッサによって実行されるとき、
ｉ）上位層メッセージングを介して、送信元ノードと送信先ノードとの間にパラメータ化サービス品質（ＰＱｏＳ）フローを作成するリクエストを受信することと、
ｉｉ）前記ＰＱｏＳフローが上位層ＱｏＳデバイスサービスを有さない第１のノードに関与することを判定することと、
ｉｉｉ）前記ＰＱｏＳフローが上位層ＱｏＳデバイスサービスを有する、前記第１のノードに隣接する第２のノードに関与することを判定することと、
ｉｖ）上位層メッセージングを介して、前記第２のノードが前記送信元ノードと前記送信先ノードとの間に前記ＰＱｏＳフローを作成することをリクエストすることと、
ｖ）上位層メッセージングを介して、前記第１のノードおよび前記第２のノードに関与する前記ＰＱｏＳフローのセグメントが第２層メッセージングを使用して成功裏に作成されたことを確認応答する応答を前記第２のノードから受信することと、
ｖｉ）前記第２のノードからの前記応答の受信に応答して、前記ＰＱｏＳフローの前記ステータスを確認応答することと、を前記ノードに実行させるコンピュータ実行可能命令が記憶される、前記プロセッサに連結されたメモリと、を備える、ノード。
［例２］
前記ＰＱｏＳフローの前記ステータスを確認応答することが、前記送信元ノードから前記送信先ノードへの前記ＰＱｏＳフローを作成する前記リクエストが送信された制御ポイントへ、前記送信元から前記送信先ノードへの前記リクエストされたＰＱｏＳフローを作成することが必要である各セグメントの前記ステータスを送信することを含む、例１に記載のノード。
［例３］
前記第１のノードがブリッジノードであり、前記第２のノードが送信元ノードであり、前記セグメントが前記送信元ノードから前記ブリッジノードへの前記ＰＱｏＳフローの第１のセグメントである、例１に記載のノード。
［例４］
前記第１のノードがブリッジノードであり、前記第２のノードが送信先ノードであり、前記セグメントが前記ブリッジノードから前記送信先ノードへの前記ＰＱｏＳフローの第２のセグメントである、例１に記載のノード。
［例５］
前記第１のノードが送信先ノードであり、前記第２のノードがブリッジノードであり、前記セグメントが前記ブリッジノードから前記送信先ノードへの前記ＰＱｏＳフローの第２のセグメントである、例１に記載のノード。
［例６］
前記記憶されたコンピュータ実行可能コードが、
ａ）上位層メッセージングを介して、前記送信元ノードが前記送信元ノードと前記送信先ノードとの間に前記ＰＱｏＳフローを作成することをリクエストすることと、
ｂ）上位層メッセージングを介して、前記送信元ノードから前記ブリッジノードへの前記ＰＱｏＳフローの第１のセグメントが第２層メッセージングを使用して成功裏に作成されたかを確認応答する第２の応答を前記送信元ノードから受信することと、
ｃ）前記応答および前記第２の応答の受信に応答して、前記ＰＱｏＳフローの前記ステータスを確認応答することと、を前記ノードにさらに実行させる、例５に記載のノード。
［例７］
前記第１のノードが送信元ノードであり、前記第２のノードがブリッジノードであり、前記セグメントが前記送信元ノードから前記ブリッジノードへの前記ＰＱｏＳフローの第１のセグメントである、例１に記載のノード。
［例８］
前記記憶されたコンピュータ実行可能コードが、
ａ）上位層メッセージングを介して、前記送信元ノードが前記送信元ノードと前記送信先ノードとの間に前記ＰＱｏＳフローを作成することをリクエストすることと、
ｂ）上位層メッセージングを介して、前記ブリッジノードから前記送信先ノードへの前記ＰＱｏＳフローの第２のセグメントが第２層メッセージングを使用して成功裏に作成されたかを確認応答する第２の応答を前記送信先ノードから受信することと、
ｃ）前記応答および前記第２の応答の受信に応答して、前記ＰＱｏＳフローが成功裏に作成されたことを確認応答することと、を前記ノードにさらに実行させる、例７に記載のノード。
［例９］
前記第１のノードがブリッジノードであり、前記第２のノードが送信元ノードであり、前記セグメントが、前記送信元ノードから前記ブリッジノードへの前記ＰＱｏＳフローの第１のセグメントであり、前記送信元ノードは、前記ＰＱｏＳフローが前記ブリッジノードを通過することを判定し、前記ブリッジノードおよび前記送信先ノードが上位層ＱｏＳデバイスサービスを有さないことを判定し、第２層メッセージングを使用して、前記送信元ノードから前記ブリッジノードへの前記ＰＱｏＳフローの前記第１のセグメントを設定し、第２層メッセージングを介して、前記ブリッジノードが、第２層メッセージングを使用して、前記ブリッジノードから前記送信先ノードへの前記ＰＱｏＳフローの第２のセグメントを設定することをリクエストするように構成される、例１に記載のノード。
［例１０］
前記記憶されたコンピュータ実行可能コードが、
ａ）上位層メッセージングを介して、前記ＰＱｏＳフローの前記第１のセグメントおよび前記ＰＱｏＳフローの前記第２のセグメントが第２層メッセージングを使用して成功裏に作成されたかを確認応答する一括応答を前記送信元ノードから受信することと、
ｂ）前記一括応答の受信に応答して、前記ＰＱｏＳフローが成功裏に作成されたことを確認応答することと、を前記ノードにさらに実行させる、例９に記載のノード。
［例１１］
前記第１のノードがブリッジノードであり、前記第２のノードが送信先ノードであり、前記セグメントが、前記ブリッジノードから前記送信元ノードへの前記ＰＱｏＳフローの第２のセグメントであり、前記送信先ノードは、前記ＰＱｏＳフローが前記ブリッジノードを通過することを判定し、前記送信元ノードおよび前記ブリッジノードが上位層ＱｏＳデバイスサービスを有さないことを判定し、第２層メッセージングを使用して、前記ブリッジノードから前記送信先ノードへの前記ＰＱｏＳフローの前記第２のセグメントを設定し、第２層メッセージングを介して、前記ブリッジノードが、第２層メッセージングを使用して、前記送信元ノードから前記ブリッジノードへの前記ＰＱｏＳフローの第１のセグメントを設定することをリクエストするように構成される、例１に記載のノード。
［例１２］
前記記憶されたコンピュータ実行可能コードが、
ａ）上位層メッセージングを介して、前記ＰＱｏＳフローの前記第１のセグメントおよび前記ＰＱｏＳフローの前記第２のセグメントが第２層メッセージングを使用して成功裏に作成されたかを確認応答する一括応答を前記送信先ノードから受信することと、
ｂ）前記一括応答の受信に応答して、前記ＰＱｏＳフローが成功裏に作成されたことを確認応答することと、を前記ノードにさらに実行させる、例１１に記載のノード。
［例１３］
前記第１のノードが送信元ノードであり、前記第２のノードがプロキシノードであり、前記セグメントが前記送信元ノードからブリッジノードへの前記ＰＱｏＳフローの第１のセグメントである、例１に記載のノード。
［例１４］
前記記憶されたコンピュータ実行可能コードが、
ａ）上位層メッセージングを介して、前記送信元ノードが、前記送信元ノードと前記送信先ノードとの間に前記ＰＱｏＳフローを作成することをリクエストすることと、
ｂ）上位層メッセージングを介して、前記ブリッジノードから前記送信先ノードへの前記ＰＱｏＳフローの第２のセグメントが第２層メッセージングを使用して成功裏に作成されたかを確認応答する第２の応答を前記送信先ノードから受信することと、
ｃ）前記応答および前記第２の応答の受信に応答して、前記ＰＱｏＳフローが成功裏に作成されたことを確認応答することと、を前記ノードにさらに実行させる、例１３に記載のノード。
［例１５］
前記第１のノードが送信先ノードであり、前記第２のノードがプロキシノードであり、前記セグメントがブリッジノードから前記送信先ノードへの前記ＰＱｏＳフローの第２のセグメントである、例１に記載のノード。
［例１６］
前記記憶されたコンピュータ実行可能コードが、
ａ）上位層メッセージングを介して、前記送信元ノードが前記送信元ノードと前記送信先ノードとの間に前記ＰＱｏＳフローを作成することをリクエストすることと、
ｂ）上位層メッセージングを介して、前記送信元ノードから前記ブリッジノードへの前記ＰＱｏＳフローの第１のセグメントが第２層メッセージングを使用して成功裏に作成されたかを確認応答する第２の応答を前記送信元ノードから受信することと、
ｃ）前記応答および前記第２の応答の受信に応答して、前記ＰＱｏＳフローが成功裏に作成されたことを確認応答することと、を前記ノードにさらに実行させる、例１５に記載のノード。
［例１７］
上位層サービス品質（ＱｏＳ）デバイスサービスを有するノードであって、
ａ）プロセッサと、
ｂ）前記プロセッサによって実行されるとき、
ｉ）上位層メッセージングを介して、リクエストノードから、送信元ノードと送信先ノードとの間にパラメータ化サービス品質（ＰＱｏＳ）フローを作成するリクエストを受信することと、
ｉｉ）前記ＰＱｏＳフローが前記ノードに関与すると判定することと、
ｉｉｉ）前記ＰＱｏＳフローが、上位層ＱｏＳデバイスサービスを有さず、かつ前記ノードに隣接している、第２のノードに関与することを判定することと、
ｉｖ）前記ノードと前記第２のノードとの間に前記ＰＱｏＳのセグメントを作成することを試みるために、第２層メッセージングを使用することと、
ｖ）上位層メッセージングを介して、前記ＰＱｏＳフローの前記セグメントが成功裏に作成されたかを確認応答する応答を前記リクエストノードに伝送することと、を前記ノードに実行させるコンピュータ実行可能コードが記憶されている、前記プロセッサに連結されたメモリと、を備える、ノード。
［例１８］
前記記憶されたコンピュータ実行可能コードが、
ａ）前記ＰＱｏＳフローに関与する第３のノードが上位層ＱｏＳデバイスサービスを有さないことを判定することと、
ｂ）第２層メッセージングを介して、前記第２のノードが、第２層メッセージングを使用して前記第２のノードから前記第３のノードへの前記ＰＱｏＳフローの第２のセグメントを設定することをリクエストすることと、
ｃ）第２層メッセージングを介して、前記ＰＱｏＳフローの前記第２のセグメントが第２層メッセージングを使用して成功裏に作成されたかを確認応答する応答を前記第２のノードから受信することと、
ｄ）前記応答の受信に応答して、上位層メッセージングを介して、前記ＰＱｏＳフローの前記第１のセグメントおよび前記ＰＱｏＳフローの前記第２のセグメントが成功裏に作成されたかを確認応答する一括応答を前記リクエストノードへ伝送することと、を前記ノードにさらに実行させる、例１７のノード。
［例１９］
前記ノードが送信元ノードであり、前記第２のノードがブリッジノードである、例１８に記載のノード。
［例２０］
前記第３のノードが前記送信先ノードである、例１９に記載のノード。
［例２１］
上位層サービス品質（ＱｏＳ）デバイスサービスを有さないノードであって、
ａ）プロセッサと、
ｂ）前記プロセッサによって実行されるとき、
ｉ）第２層メッセージングを介して、リクエストノードから、送信元ノードと送信先ノードとの間にパラメータ化サービス品質（ＰＱｏＳ）フローを作成するリクエストを受信することと、
ｉｉ）前記ＰＱｏＳフローが、上位層ＱｏＳデバイスサービスを有さず、かつ前記ノードに隣接している、第２のノードに関与することを判定することと、
ｉｖ）前記ノードと前記第２のノードとの間に前記ＰＱｏＳのセグメントを作成することを試みるために、第２層メッセージングを使用することと、
ｖ）第２層メッセージングを介して、前記ＰＱｏＳフローの前記セグメントが成功裏に作成されたかを確認応答する応答を前記リクエストノードへ伝送することと、を前記ノードに実行させる、コンピュータ実行可能コードが記憶されている、前記プロセッサに連結されたメモリと、を備える、ノード。
［例２２］
前記ノードが送信先ノードであり、前記第２のノードがブリッジノードである、例１７に記載のノード。
［例２３］
前記セグメントが、前記ブリッジノードから前記送信先ノードへの前記ＰＱｏＳフローの第２のセグメントであり、前記記憶されたコンピュータ実行可能コードが、
ａ）前記送信元ノードが上位層ＱｏＳデバイスサービスを有さないことを判定することと、
ｂ）第２層メッセージングを介して、前記ブリッジノードが第２層メッセージングを使用して前記送信元ノードから前記ブリッジノードへの前記ＰＱｏＳフローの第１のセグメントを設定することをリクエストすることと、
ｃ）第２層メッセージングを介して、前記ＰＱｏＳフローの前記第１のセグメントが第２層メッセージングを使用して成功裏に作成されたかを確認応答する応答を前記ブリッジノードから受信することと、
ｄ）前記応答の受信に応答して、上位層メッセージングを介して、前記ＰＱｏＳフローの前記第１のセグメントおよび前記ＰＱｏＳフローの前記第２のセグメントが成功裏に作成されたかを確認応答する一括応答を前記リクエストノードへ伝送することと、を前記ノードにさらに実行させる、例２１のノード。
［例２４］
前記ノードがブリッジノードであり、前記第２のノードが送信先ノードである、例１７に記載のノード。
［例２５］
前記ノードがブリッジノードであり、前記第２のノードが送信元ノードである、例１７に記載のノード。
［例２６］
上位層サービス品質（ＱｏＳ）デバイスサービスを有するプロキシノードであって、
ａ）プロセッサと、
ｂ）前記プロセッサによって実行されるとき、
ｉ）上位層メッセージングを介して、リクエストノードから、送信元ノードと送信先ノードとの間にパラメータ化サービス品質（ＰＱｏＳ）フローを作成するリクエストを受信することと、
ｉｉ）前記ＰＱｏＳフローが、上位層ＱｏＳデバイスサービスを有さず、かつ前記ノードに隣接している、第１のノードに関与することを判定することと、
ｉｉｉ）前記ＰＱｏＳフローが前記ノードに隣接している第２のノードに関与することを判定することと、
ｉｖ）前記第１と前記第２のノードとの間に前記ＰＱｏＳのセグメントを作成することを試みるために、第２層メッセージングを使用することと、
ｖ）上位層メッセージングを介して、前記ＰＱｏＳフローの前記セグメントが成功裏に作成されたかを確認応答する応答を前記リクエストノードへ伝送することと、を前記ノードに実行させるコンピュータ実行可能コードが記憶されている、前記プロセッサに連結されたメモリと、を備える、ノード。
［例２７］
前記第１のノードがブリッジノードであり、前記第２のノードが送信元ノードである、例２６に記載のノード。
［例２８］
前記第１のノードがブリッジノードであり、前記第２のノードが送信先ノードである、例２６に記載のノード。
［例２９］
前記第１のノードが送信元ノードであり、前記第２のノードがブリッジノードである、例２６に記載のノード。
［例３０］
前記第１のノードが送信先ノードであり、前記第２のノードがブリッジノードである、例２６に記載のノード。
［例３１］
上位層サービス品質（ＱｏＳ）デバイスサービスを有さないブリッジノードであって、
ａ）プロセッサと、
ｂ）前記プロセッサによって実行されるとき、
ｉ）第２層メッセージングを介して、第１のノードであって、第１のネットワークセグメント上の前記ブリッジノードに隣接している、第１のノードから、送信元ノードと送信先ノードとの間にパラメータ化サービス品質（ＰＱｏＳ）フローを作成するリクエストを受信することと、
ｉｉ）前記ＰＱｏＳフローが、上位層ＱｏＳデバイスサービスを有さない第２のノードであって、第２のネットワークセグメント上の前記ブリッジノードに隣接している、第２のノードに関与することを判定することと、
ｉｉｉ）前記ブリッジノードと前記第２のノードとの間に前記ＰＱｏＳのセグメントを作成することを試みるために、第２層メッセージングを使用することと、
ｉｖ）第２層メッセージングを介して、前記ＰＱｏＳフローの前記セグメントが成功裏に作成されたかを確認応答する応答を前記第１のノードへ伝送することと、を前記ノードに実行させるコンピュータ実行可能コードが記憶される、前記プロセッサに連結されたメモリと、を備える、ノード。
［例３２］
前記第１のノードが送信元ノードであり、前記第２のノードが送信先ノードである、例３１に記載のノード。
［例３３］
前記第１のノードが送信先ノードであり、前記第２のノードが送信元ノードである、例３１に記載のノード。
［例３４］
ネットワーク通信のための集積回路チップであって、上位層サービス品質（ＱｏＳ）デバイスサービスを有し、
ａ）上位層メッセージングを介して、送信元ノードと送信先ノードとの間にパラメータ化サービス品質（ＰＱｏＳ）フローを作成するリクエストを受信することと、
ｂ）前記ＰＱｏＳフローが上位層ＱｏＳデバイスサービスを有さない第１のノードに関与することを判定することと、
ｃ）前記ＰＱｏＳフローが上位層ＱｏＳデバイスサービスを有する、前記第１のノードに隣接する第２のノードに関与することを判定することと、
ｄ）上位層メッセージングを介して、前記第２のノードが前記送信元ノードと前記送信先ノードとの間に前記ＰＱｏＳフローを作成することをリクエストすることと、
ｅ）上位層メッセージングを介して、前記第１のノードに関与するＰＱｏＳフローのセグメントが第２層メッセージングを使用して成功裏に作成されたかを確認応答する応答を第２のノードから受信することと、
ｆ）前記応答の受信に応答して、前記ＰＱｏＳフローが成功裏に作成されたことを確認応答することと、の動作を実施する、集積回路チップ。
［例３５］
前記第１のノードがブリッジノードであり、前記第２のノードが送信元ノードであり、前記セグメントが前記送信元ノードから前記ブリッジノードへの前記ＰＱｏＳフローの第１のセグメントである、例３４に記載の集積回路チップ。
［例３６］
前記第１のノードがブリッジノードであり、前記第２のノードが送信先ノードであり、前記セグメントが前記ブリッジノードから前記送信先ノードへの前記ＰＱｏＳフローの第２のセグメントである、例３４に記載の集積回路チップ。
［例３７］
前記第１のノードが送信先ノードであり、前記第２のノードがブリッジノードであり、前記セグメントが前記ブリッジノードから前記送信先ノードへの前記ＰＱｏＳフローの第２のセグメントである、例３４に記載の集積回路チップ。
［例３８］
前記集積回路チップが、
ａ）上位層メッセージングを介して、前記送信元ノードが前記送信元ノードと前記送信先ノードとの間に前記ＰＱｏＳフローを作成することをリクエストすることと、
ｂ）上位層メッセージングを介して、前記送信元ノードから前記ブリッジノードへの前記ＰＱｏＳフローの第１のセグメントが第２層メッセージングを使用して成功裏に作成されたかを確認応答する第２の応答を前記送信元ノードから受信することと、
ｃ）前記応答および前記第２の応答の受信に応答して、前記ＰＱｏＳフローが成功裏に作成されたことを確認応答することと、の動作を実施するようにさらに構成される、例３７に記載の集積回路チップ。
［例３９］
前記第１のノードが送信元ノードであり、前記第２のノードがブリッジノードであり、前記セグメントが前記送信元ノードから前記ブリッジノードへの前記ＰＱｏＳフローの第１のセグメントである、例３４に記載の集積回路チップ。
［例４０］
前記集積回路チップが、
ａ）上位層メッセージングを介して、前記送信先ノードが前記送信元ノードと前記送信先ノードとの間に前記ＰＱｏＳフローを作成することをリクエストすることと、
ｂ）上位層メッセージングを介して、前記ブリッジノードから前記送信先ノードへの前記ＰＱｏＳフローの第２のセグメントが第２層メッセージングを使用して成功裏に作成されたかを確認応答する第２の応答を前記送信先ノードから受信することと、
ｃ）前記応答および前記第２の応答の受信に応答して、前記ＰＱｏＳフローが成功裏に作成されたことを確認応答することと、の動作を実施するようにさらに構成される、例３９に記載の集積回路チップ。
［例４１］
前記第１のノードがブリッジノードであり、前記第２のノードが送信元ノードであり、前記セグメントが、前記送信元ノードから前記ブリッジノードへの前記ＰＱｏＳフローの第１のセグメントであり、前記送信元ノードは、前記ＰＱｏＳフローが前記ブリッジノードを通過することを判定し、前記ブリッジノードおよび前記送信先ノードが上位層ＱｏＳデバイスサービスを有さないことを判定し、前記送信元ノードから前記ブリッジノードへの前記ＰＱｏＳフローの第１のセグメントを第２層メッセージングを使用して設定し、第２層メッセージングを介して、前記ブリッジが前記ブリッジノードから前記送信先ノードへの前記ＰＱｏＳフローの第２のセグメントを第２層メッセージングを使用して設定することをリクエストするように構成される、例３４に記載の集積回路チップ。
［例４２］
前記集積回路チップが、
ａ）上位層メッセージングを介して、前記ＰＱｏＳフローの前記第１のセグメントおよび前記ＰＱｏＳフローの前記第２のセグメントが第２層メッセージングを使用して成功裏に作成されたかを確認応答する一括応答を前記送信元ノードから受信することと、
ｂ）前記一括応答の受信に応答して、前記ＰＱｏＳフローが成功裏に作成されたことを確認応答することと、の動作を実施するようにさらに構成される、例４１に記載の集積回路チップ。
［例４３］
前記第１のノードがブリッジノードであり、前記第２のノードが送信先ノードであり、前記セグメントが、前記ブリッジノードから前記送信先ノードへの前記ＰＱｏＳフローの第２のセグメントであり、前記送信先ノードは、前記ＰＱｏＳフローが前記ブリッジノードを通過することを判定し、前記送信元ノードおよび前記ブリッジノードが上位層ＱｏＳデバイスサービスを有さないことを判定し、前記ブリッジノードから前記送信先ノードへの前記ＰＱｏＳフローの第２のセグメントを第２層メッセージングを使用して設定し、第２層メッセージングを介して、前記ブリッジが前記送信元ノードから前記ブリッジノードへの前記ＰＱｏＳフローの第１のセグメントを第２層メッセージングを使用して設定することをリクエストするように構成される、例３４に記載の集積回路チップ。
［例４４］
前記集積回路チップが、
ａ）上位層メッセージングを介して、前記ＰＱｏＳフローの前記第１のセグメントおよび前記ＰＱｏＳフローの前記第２のセグメントが第２層メッセージングを使用して成功裏に作成されたかを確認応答する一括応答を前記ブリッジノードから受信することと、
ｂ）前記一括応答の受信に応答して、前記ＰＱｏＳフローが成功裏に作成されたことを確認応答することと、の動作を実施するようにさらに構成される、例４３に記載の集積回路チップ。
［例４５］
ネットワーク通信のための集積回路チップであって、上位層サービス品質（ＱｏＳ）管理サービスを有し、
ａ）上位層メッセージングを介して、送信元ノードと送信先ノードとの間にパラメータ化サービス品質（ＰＱｏＳ）フローを作成するリクエストを受信することと、
ｂ）前記ＰＱｏＳフローが上位層ＱｏＳデバイスサービスを有さない第１のノードに関与することを判定することと、
ｃ）上位層ＱｏＳデバイスサービスを有する、第１のノードに隣接する第２のノードを識別することと、
ｄ）上位層メッセージングを介して、前記第２のノードが前記送信元ノードと前記送信先ノードとの間に前記ＰＱｏＳフローを作成することをリクエストすることと、
ｅ）上位層メッセージングを介して、第２のノードから、前記第１のノードに関与するＰＱｏＳフローのセグメントが第２層メッセージングを使用して成功裏に作成されたかを確認応答する応答を受信することと、
ｆ）前記応答の受信に応答して、前記ＰＱｏＳフローが成功裏に作成されたかを確認応答することと、の動作を実施する、集積回路チップ。
［例４６］
前記第１のノードが送信元ノードであり、前記第２のノードがプロキシノードであり、前記セグメントが前記送信元ノードからブリッジノードへの前記ＰＱｏＳフローの第１のセグメントである、例４５に記載の集積回路チップ。
［例４７］
前記集積回路チップが、
ａ）上位層メッセージングを介して、前記送信先ノードが前記送信元ノードと前記送信先ノードとの間に前記ＰＱｏＳフローを作成することをリクエストすることと、
ｂ）上位層メッセージングを介して、前記送信先ノードから、前記ブリッジノードから前記送信先ノードへの前記ＰＱｏＳフローの第２のセグメントが第２層メッセージングを使用して成功裏に作成されたかを確認応答する第２の応答を受信することと、
ｃ）前記応答および前記第２の応答の受信に応答して、前記ＰＱｏＳフローが成功裏に作成されたことを確認応答することと、の動作を実施するようにさらに構成される、例４６に記載の集積回路チップ。
［例４８］
前記第１のノードが送信先ノードであり、前記第２のノードがプロキシノードであり、前記セグメントがブリッジノードから前記送信先ノードへの前記ＰＱｏＳフローの第２のセグメントである、例４５に記載の集積回路チップ。
［例４９］
前記集積回路チップが、
ａ）上位層メッセージングを介して、前記送信元ノードが前記送信元ノードと前記送信先ノードとの間に前記ＰＱｏＳフローを作成することをリクエストすることと、
ｂ）上位層メッセージングを介して、前記送信元ノードから、前記送信元ノードから前記ブリッジノードへの前記ＰＱｏＳフローの第１のセグメントが第２層メッセージングを使用して成功裏に作成されたかを確認応答する第２の応答を受信することと、
ｃ）前記応答および前記第２の応答の受信に応答して、前記ＰＱｏＳフローが成功裏に作成されたことを確認応答することと、の動作を実施するようにさらに構成される、例４８に記載の集積回路チップ。
［例５０］
ネットワーク通信のための集積回路チップであって、上位層のサービス品質（ＱｏＳ）デバイスサービスを有し、
ａ）上位層メッセージングを介して、リクエストノードから、送信元ノードと送信先ノードとの間にパラメータ化サービス品質（ＰＱｏＳ）フローを作成するリクエストを受信することと、
ｂ）前記ＰＱｏＳフローが、前記集積回路チップを備える第１のノードに関与することを判定することと、
ｃ）前記ＰＱｏＳフローが、上位層ＱｏＳデバイスサービスを有さず、かつ前記第１のノードに隣接している、第２のノードに関与することを判定することと、
ｄ）前記第１のノードと前記第２のノードとの間に前記ＰＱｏＳのセグメントを作成することを試みるために、第２層メッセージングを使用することと、
ｅ）上位層メッセージングを介して、前記ＰＱｏＳフローの前記セグメントが成功裏に作成されたかを確認応答する応答をリクエストノードへ伝送することと、の動作を実施する、集積回路チップ。
［例５１］
前記第１のノードが送信元ノードであり、前記第２のノードがブリッジノードである、例５０に記載の集積回路チップ。
［例５２］
前記セグメントが、前記送信元ノードから前記ブリッジノードへの前記ＰＱｏＳフローの第１のセグメントであり、前記集積回路チップが、
ａ）前記送信先ノードが上位層ＱｏＳデバイスサービスを有さないことを判定することと、
ｂ）第２層メッセージングを介して、前記ブリッジノードが第２層メッセージングを使用して前記ブリッジノードから前記送信先ノードへの前記ＰＱｏＳフローの第２のセグメントを設定することをリクエストすることと、
ｃ）第２層メッセージングを介して、前記ブリッジノードから、前記ＰＱｏＳフローの前記第２のセグメントが第２層メッセージングを使用して成功裏に作成されたかを確認応答する応答を受信することと、
ｄ）前記応答の受信に応答して、上位層メッセージングを介して、前記ＰＱｏＳフローの前記第１のセグメントおよび前記ＰＱｏＳフローの前記第２のセグメントが成功裏に作成されたかを確認応答する一括応答を前記リクエストノードへ伝送することと、の動作を実施するようにさらに構成される、例５１の集積回路チップ。
［例５３］
前記第１のノードが送信先ノードであり、前記第２のノードがブリッジノードである、例５０に記載の集積回路チップ。
［例５４］
前記セグメントが、前記ブリッジノードから前記送信先ノードへの前記ＰＱｏＳフローの第２のセグメントであり、前記集積回路チップが、
ａ）前記送信元ノードが上位層ＱｏＳデバイスサービスを有さないことを判定することと、
ｂ）第２層メッセージングを介して、前記ブリッジノードが第２層メッセージングを使用して前記第２のノードから前記ブリッジノードへの前記ＰＱｏＳフローの第１のセグメントを設定することをリクエストすることと、
ｃ）第２層メッセージングを介して、前記ブリッジノードから、前記ＰＱｏＳフローの前記第１のセグメントが第２層メッセージングを使用して成功裏に作成されたかを確認応答する応答を受信することと、
ｄ）前記応答の受信に応答して、上位層メッセージングを介して、前記ＰＱｏＳフローの前記第１のセグメントおよび前記ＰＱｏＳフローの前記第２のセグメントが成功裏に作成されたかを確認応答する一括応答を前記リクエストノードへ伝送することと、の動作を実施するようにさらに構成される、例５３の集積回路チップ。
［例５５］
前記第１のノードがブリッジノードであり、前記第２のノードが送信先ノードである、例５０に記載の集積回路チップ。
［例５６］
前記第１のノードがブリッジノードであり、前記第２のノードが送信元ノードである、例５０に記載の集積回路チップ。
［例５７］
プロキシノードにおけるネットワーク通信のための集積回路チップであって、上位層サービス品質（ＱｏＳ）管理サービスを有し、
ａ）上位層メッセージングを介して、リクエストノードから、送信元ノードと送信先ノードとの間にパラメータ化サービス品質（ＰＱｏＳ）フローを作成するリクエストを受信することと、
ｂ）前記ＰＱｏＳフローが、上位層ＱｏＳデバイスサービスを有さず、かつ第１のネットワークセグメント上の前記プロキシノードに隣接している、第１のノードに関与することを判定することと、
ｃ）前記ＰＱｏＳフローが、前記第１のネットワークセグメント上の前記プロキシノードに隣接している第２のノードに関与することを判定することと、
ｄ）前記第１のノードと前記第２のノードとの間に前記ＰＱｏＳのセグメントを作成することを試みるために、第２層メッセージングを使用することと、
ｅ）上位層メッセージングを介して、前記ＰＱｏＳフローの前記セグメントが成功裏に作成されたかを確認応答する応答を前記リクエストノードへ伝送することと、の動作を実施する、集積回路チップ。
［例５８］
前記第１のノードがブリッジノードであり、前記第２のノードが送信元ノードである、例５７に記載の集積回路チップ。
［例５９］
前記第１のノードがブリッジノードであり、前記第２のノードが送信先ノードである、例５７に記載の集積回路チップ。
［例６０］
前記第１のノードが送信元ノードであり、前記第２のノードがブリッジノードである、例５７に記載の集積回路チップ。
［例６１］
前記第１のノードが送信先ノードであり、前記第２のノードがブリッジノードである、例５７に記載の集積回路チップ。
［例６２］
上位層ＱｏＳデバイスサービスを有さないブリッジノードにおけるネットワーク通信のための集積回路チップであって、
ａ）第２層メッセージングを介して、第１のノードであって、第１のネットワークセグメント上の前記ブリッジノードに隣接している、第１のノードから送信元ノードと送信先ノードとの間にパラメータ化サービス品質（ＰＱｏＳ）フローを作成するリクエストを受信することと、
ｂ）前記ＰＱｏＳフローが、上位層ＱｏＳデバイスサービスを有さない第２のノードであって、第２のネットワークセグメント上の前記ブリッジノードに隣接している、第２のノードに関与することを判定することと、
ｃ）前記ブリッジノードと前記第２のノードとの間に前記ＰＱｏＳのセグメントを作成することを試みるために、第２層メッセージングを使用することと、
ｄ）第２層メッセージングを介して、前記ＰＱｏＳフローの前記セグメントが成功裏に作成されたかを確認応答する応答を前記第１のノードへ伝送することと、の動作を実施するように構成される、集積回路チップ。
［例６３］
前記第１のノードが送信元ノードであり、前記第２のノードが送信先ノードである、例６２に記載の集積回路チップ。
［例６４］
前記第１のノードが送信先ノードであり、前記第２のノードが送信元ノードである、例６２に記載の集積回路チップ。